(57)【要約】【課題】  均一な明るさで表示可能であり、表示品質の高い電気光学装置及び電子機器を提供すること。【解決手段】  駆動ドライバ１１を液晶パネル２の左側（図１）に設け、ＬＥＤ１２、１３、１４を液晶パネル２の右側（図１）に設ける、すなわち、駆動ドライバ１１とＬＥＤ１２、１３、１４とを別々の辺に設けることにより、当該ＬＥＤ１２、１３、１４を当該左側の端部及び中央部のいずれにも配置することが可能となる。これにより、導光体３ｄの中央部にも十分な光を入射させることができるので、導光体３ｄの両端だけが明るくなることは無く、表示領域９を均一な明るさにすることができる。【選択図】  図１
2007095422.tif 000002
【特許請求の範囲】
【請求項１】
一対の基板に電気光学物質が挟持されてなる電気光学パネルと、
前記電気光学パネルの少なくとも一辺に沿った領域に設けられ、前記電気光学パネルを駆動する駆動回路部と、
前記電気光学パネルの前記駆動回路部が設けられていない他辺に沿った領域に設けられた発光素子と、
前記電気光学パネルに対向して設けられ、前記発光素子から発光された光を導光して前記電気光学パネルに照射する導光板と
を具備することを特徴とする電気光学装置。
【請求項２】
前記発光素子が複数設けられ、
前記複数の発光素子が、少なくとも前記他辺の延在方向の両端部と中央部とに配置されていることを特徴とする請求項１に記載の電気光学装置。
【請求項３】
前記一辺と前記他辺とが隣接する辺であることを特徴とする請求項１又は請求項２に記載の電気光学装置。
【請求項４】
前記一辺と前記他辺とが対向する辺であることを特徴とする請求項１又は請求項２に記載の電気光学装置。
【請求項５】
前記駆動回路部が、前記一対の基板のうち一方の基板に設けられており、
前記発光素子が、前記一対の基板のうち他方の基板に設けられている
ことを特徴とする請求項４に記載の電気光学装置。
【請求項６】
前記発光素子には、当該発光素子に電気信号を供給するための配線が接続されており、
前記配線が、前記電気光学パネルのうち少なくとも前記電気光学物質が配置される領域を囲うように設けられていることを特徴とする請求項４又は請求項５に記載の電気光学装置。
【請求項７】
前記配線が、前記駆動回路部の外側の領域を通るように設けられていること特徴とする請求項６に記載の電気光学装置。
【請求項８】
請求項１乃至請求項７のうちいずれか一項に記載の電気光学装置を搭載したことを特徴とする電子機器。
【発明の詳細な説明】
【技術分野】
【０００１】
本発明は、電気光学装置及び電子機器に関する。
【背景技術】
【０００２】
携帯電話などの電子機器の表示部として搭載する電気光学装置のうち、例えば液晶装置は、一対の基板に液晶を挟持した液晶パネルにバックライトを設けた構成になっているものが一般的である。この液晶パネルの一辺には、液晶装置を駆動するため、例えば半導体素子などの駆動回路部が設けられている。この駆動回路部は、一辺の中央部に設けられていることが多い。
【０００３】
一方、携帯電話などの電子機器は、多数の部品を狭い空間内に配置することになるため、表示領域を狭くすることなく電気光学装置を小型化することが要請されている。この要請に対しては、例えばバックライトの光源となるＬＥＤを液晶パネルに直接設けることによって液晶装置を小型化することができる技術が開示されている（例えば、特許文献１参照。）。特許文献１によれば、駆動回路部と同一辺にＬＥＤが配置された液晶装置の構成が記載されており、バックライトの導光板にはこのＬＥＤを収容する収容部（凹部）が設けられている。収容部に収容されたＬＥＤから射出された光は、導光板を介して液晶パネルに照射されるようになっている。  
【特許文献１】特開２０００−２５００３１号公報
【発明の開示】
【発明が解決しようとする課題】
【０００４】
しかしながら、上記構成では、駆動回路部が設けられた領域にはＬＥＤを配置することができないため、ＬＥＤを液晶パネルの駆動回路部の両側に設けざるを得ない。ＬＥＤを駆動回路部の両側に設けた場合、導光板の両端部では十分に光が導光されるが、導光板の中心部で光が十分に導光されないことがある。そうなると、導光板から照射される光は、導光板の両端では明るく、導光板の中心部では暗くなってしまう。このため、表示領域に明るさのムラが形成されてしまい、均一な明るさでの表示が困難になるという問題がある。  
以上のような事情に鑑み、本発明の目的は、均一な明るさで表示可能な電気光学装置及び電子機器を提供することにある。
【課題を解決するための手段】
【０００５】
上記目的を達成するため、本発明に係る電気光学装置は、一対の基板に電気光学物質が挟持されてなる電気光学パネルと、前記電気光学パネルの少なくとも一辺に沿った領域に設けられ、前記電気光学パネルを駆動する駆動回路部と、前記電気光学パネルの前記駆動回路部が設けられていない他辺に沿った領域に設けられた発光素子と、前記電気光学パネルに対向して設けられ、前記発光素子から発光された光を導光して前記電気光学パネルに照射する導光板とを具備することを特徴とする。
【０００６】
本発明によれば、駆動回路部を電気光学パネルの一辺に沿った領域に設け、発光素子を電気光学パネルの他辺に沿った領域に設ける、すなわち、駆動回路部と発光素子とを別々の辺に設けることにより、発光素子を設ける位置が制限されることは無く、当該他辺に沿った領域のどの位置にでも配置することが可能となる。これにより、導光板から電気光学パネルに均一に光が照射されるように、発光素子を所望の位置に配置することが可能となるため、均一な明るさで表示可能になる。
【０００７】
また、前記発光素子が複数設けられ、前記複数の発光素子が、少なくとも前記他辺の延在方向の両端部と中央部とに配置されていることが好ましい。  
本発明によれば、発光素子が少なくとも他辺の延在方向の両端部と中央部とに配置されているので、導光板の両端部でも中心部でも光が十分に導光されることになる。これにより、導光板から電気光学パネルに均一に光が照射されるので、均一な明るさで表示可能となる。
【０００８】
また、前記一辺と前記他辺とが隣接する辺であることが好ましい。  
本発明によれば、上記一辺と上記他辺とが隣接する辺である、すなわち、駆動回路部と発光素子とをそれぞれ隣接する辺に配置することによって、例えば発光素子に接続する配線を最短にすることができる。これにより、配線の引き回しに要するスペースを極力抑えることができるので、電気光学装置を小型化することが可能となる。
【０００９】
また、前記一辺と前記他辺とが対向する辺であることが好ましい。  
本発明によれば、上記一辺と上記他辺とが対向する辺である、すなわち、駆動回路部と発光素子とをそれぞれ対向する辺に配置することによって、駆動回路部が、発光素子の発光時に生じる熱の影響を受けにくくなる。これにより、発光素子の熱によって駆動回路部が動作不良を起こすのを回避することができる。
【００１０】
また、前記駆動回路部が、前記一対の基板のうち一方の基板に設けられており、前記発光素子が、前記一対の基板のうち他方の基板に設けられていることが好ましい。  
本発明では、駆動素子と発光素子を異なる基板に設けることができるため、駆動素子が導光板側の基板に配置される構造の場合においても、他方の基板に発光素子を設けることができ、発光素子の発光面を導光板側に配置することができる。このため、外付けのＦＰＣ等に発光素子を実装することなく、発光素子を配置できるため、スペースを極力抑えることができるので、電気光学装置を小型化することが可能となる。
【００１１】
また、前記発光素子には、当該発光素子に電気信号を供給するための配線が接続されており、前記配線が、前記電気光学パネルのうち少なくとも前記電気光学物質が配置される領域を囲うように設けられていることが好ましい。  
本発明によれば、少なくとも電気光学物質が配置される領域を囲うように配線が設けられているので、当該電気光学物質が配置される領域においては、静電気によって悪影響を受けるのを防ぐことができる。
【００１２】
また、前記配線が、前記駆動回路部の外側の領域を通るように設けられていることが好ましい。  
本発明によれば、配線が駆動回路部の外側の領域を通るように設けられているので、駆動回路部が配線によって囲われることになる。これにより、静電気による悪影響、例えば駆動回路部の破損などを防ぐことができる。
【００１３】
本発明に係る電子機器は、上記の電気光学装置を搭載したことを特徴とする。  
本発明によれば、均一な明るさで表示可能な電気光学装置を搭載したので、快適な表示を実現可能な電子機器を得ることができる。
【発明を実施するための最良の形態】
【００１４】
［第１実施形態］  
本発明の第１実施形態を図面に基づき説明する。以下の図では、各部材を認識可能な大きさとするため、縮尺を適宜変更している。  
（液晶装置）  
図１は、液晶装置１の全体構成を示す分解斜視図である。図１では、液晶装置１を分解して開いた状態で示されている。本実施形態では、スイッチング素子に薄膜ダイオード（Thin Film Diode、以下ＴＦＤという）素子を用いたアクティブマトリクス方式の液晶装置を例に挙げて説明する。
【００１５】
図１に示すように、液晶装置１は、液晶パネル２と導光板３とを主体として構成されており、液晶パネル２に導光板３が重ね合わさった構成になっている。液晶パネル２と導光板３とは、Ｘ方向（液晶パネル２の長手方向）及びＹ方向（液晶パネル２の短手方向）の寸法がほぼ同じになっている。
【００１６】
液晶パネル２は、ＴＦＤアレイ基板４とカラーフィルタ基板５とがシール材７によって貼り合わされ、このシール材７によって区画された領域内に液晶層６が封入された構成になっている。シール材７の内側の領域には、遮光性材料からなる遮光膜（周辺見切り）８が形成されている。周辺見切り８の内側の領域は、画像や動画等を表示する表示領域９になっている。表示領域９には、複数のドット領域１０がマトリクス状に設けられている。
【００１７】
ＴＦＤアレイ基板４の周縁部のうち図中左側及び右側は、カラーフィルタ基板５から張り出した張出領域になっている。この張出領域のうち図中左側には、信号を生成する駆動ドライバ１１が形成されている。図中右側には、導光板３に入射させる光を発光する発光素子（ＬＥＤ）１２、１３及び１４が設けられている。ＬＥＤ１２、１４は図中Ｙ方向の端部に設けられており、ＬＥＤ１３は図中Ｙ方向の中央部に設けられている。
【００１８】
導光板３は、液晶パネル２に重ね合わせたときにＬＥＤ１２、１３及び１４を収容する収容部３ａ、３ｂ、３ｃと、ＬＥＤ１２、１３、１４からの光を導光する導光体３ｄとを有している。ＬＥＤ１２、１３、１４からの光は、当該収容部３ａ、３ｂ、３ｃを介して導光体３ｄに入射されるようになっている。導光体３ｄのうち液晶パネル２と重なる側の面には、ＴＦＤアレイ基板４とカラーフィルタ基板５とで形成されている段差に対応するように、段差が形成されている。導光体３ｄの表面には、光学シート３ｅが貼付されている。
【００１９】
図２は、液晶パネル２と導光板３をと重ねた状態の構成を示す断面図である。なお、図２は、ＬＥＤ１２を含むＹ方向の断面を示したものである。  
ＴＦＤアレイ基板４は、例えばガラスや石英等の透光性の高い材料から形成された基材４ａと、この基材４ａの液晶側に形成された画素電極１８と、この画素電極１８上に形成された配向膜１６とを主体として構成されている。画素電極１８は、例えばＩＴＯ（Indium Tin Oxide）等の透明な導電材料によって形成されている。この他、画素電極１８には、図示しないＴＦＤ素子が接続されており、ＴＦＤ素子には、図示しない走査電極が接続されている。ＴＦＤアレイ基板４の外側（液晶層６とは反対側）には、偏光板１９が貼付されている。
【００２０】
カラーフィルタ基板５は、ＴＦＤアレイ基板４と同様にガラスや石英等の透光性材料からなる基材５ａの液晶側に、例えば赤色層、緑色層、青色層の３色の色層からなるカラーフィルタ層３０が形成され、当該カラーフィルタ層３０の周囲には遮光膜３１が形成されている。また、カラーフィルタ層３０及び遮光膜３１を覆う信号電極（図示省略）が画素の列ごとに形成され、当該信号電極上を配向膜２６が覆っている。信号電極は、画素電極１８と同様、例えばＩＴＯ等の透明な導電材料によって形成されている。カラーフィルタ基板５の外側には、偏光板２９が貼付されている。
【００２１】
液晶層６は、例えばフッ素系液晶化合物や非フッ素系液晶化合物等の液晶分子３２によって構成されており、ＴＦＤアレイ基板４側の配向膜１６とカラーフィルタ基板５側の配向膜２６との双方に接するように両基板に挟持されている。液晶分子３２の配向は、非選択電圧を印加したときに所定の方向に向くように、配向膜１６及び配向膜２６によって規制されている。
【００２２】
図３は、ＬＥＤからの光が導光される様子を示す図である。  
同図に示すように、ＬＥＤ１２、１３、１４からの光が収容部３ａ、３ｂ、３ｃを介して導光体３ｄに入射され、導光体３ｄで導光されて、液晶パネル２に照射される。ＬＥＤ１２、１４が少なくとも液晶パネル２の一辺の両端部に配置されると共に、ＬＥＤ１３が中央部に配置されており、導光板３の両端部でも中心部でも光が十分に導光されることになる。
【００２３】
このように、本実施形態によれば、駆動ドライバ１１を液晶パネル２の左側（図１）に設け、ＬＥＤ１２、１３、１４を液晶パネル２の右側（図１）に設ける、すなわち、駆動ドライバ１１とＬＥＤ１２、１３、１４とを別々の辺に設けることにより、当該ＬＥＤ１２、１３、１４を当該左側の端部及び中央部のいずれにも配置することが可能となる。これにより、導光体３ｄの中央部にも十分な光を入射させることができるので、導光体３ｄの両端だけが明るくなることは無く、表示領域９を均一な明るさにすることができる。
【００２４】
［第２実施形態］  
次に、本発明の第２実施形態を説明する。第１実施形態と同様、以下の図では、各部材を認識可能な大きさとするため、縮尺を適宜変更している。また、第１実施形態と同一の構成要素については、同一の符号を付してその説明を省略する。
【００２５】
図４は、本実施形態に係る液晶装置１０１の構成を示す斜視図である。  
液晶装置１０１は、第１実施形態と同様に、液晶パネル１０２と導光板１０３とを主体として構成されており、液晶パネル１０２に導光板１０３が重ね合わさった構成になっている。液晶パネル１０２は、ＴＦＤアレイ基板１０４とカラーフィルタ基板１０５とがシール材７によって貼り合わされ、このシール材７によって区画された領域内に液晶層６が封入された構成になっている。本実施形態では、ＴＦＤアレイ基板１０４及びカラーフィルタ基板１０５が、対向する辺にそれぞれ張出領域１０４ａ、１０５ａを有するように貼り合わされている。
【００２６】
ＴＦＤアレイ基板１０４の張出領域１０４ａには、信号を生成する駆動ドライバ１１１が形成されていると共に、電源回路などの外部回路が形成されたフレキシブル基板２００が接続されている。フレキシブル基板２００に形成された外部回路と駆動ドライバ１１１とは、張出領域１０４ａに形成された接続端子１１７を介して電気的に接続されている。
【００２７】
一方、カラーフィルタ基板１０５の張出領域１０５ａには、導光板１０３に入射させる光を発光する発光素子（ＬＥＤ）１１２、１１３及び１１４が設けられている。このように、駆動ドライバ１１１とＬＥＤ１１２、１１３及び１１４とは、液晶パネル１０２の対向する辺側に設けられている。ＬＥＤ１１２、１１４は例えば張出領域１０５ａのＹ方向（液晶パネル１０２の短手方向）端部に設けられており、ＬＥＤ１１３は例えば張出領域１０５ａのＹ方向中央部に設けられている。ＬＥＤ１１２、１１３及び１１４には、電力を供給する配線１１５が接続されている。
【００２８】
導光板１０３は、液晶パネル１０２に重ね合わせたときにＬＥＤ１１２、１１３及び１１４を収容する収容部１０３ａ、１０３ｂ、１０３ｃと、ＬＥＤ１１２、１１３及び１１４からの光を導光する導光体１０３ｄとを有している。第１実施形態と同様に、ＬＥＤ１１２、１１３及び１１４からの光は、当該収容部１０３ａ、１０３ｂ、１０３ｃを介して導光体１０３ｄに入射されるようになっている。導光体１０３ｄの表面には、光学シート１０３ｅが貼付されている。
【００２９】
図５は、液晶パネル１０２の構成を示す平面図である。  
同図及び図４に示すように、配線１１５は、カラーフィルタ基板１０５側に形成されたカラーフィルタ基板側配線１１５ａと、ＴＦＤアレイ基板１０４側に形成されたＴＦＤアレイ基板側配線１１５ｂとからなり、液晶パネル１０２の表示領域９を囲むように引き回されている。
【００３０】
カラーフィルタ基板側配線１１５ａは、ＬＥＤ１１２、１１３及び１１４に接続され、カラーフィルタ基板１０５の外周に沿って引き回されている。ＴＦＤアレイ基板側配線１１５ｂは、ＴＦＤアレイ基板１１４の外周に沿って形成されており、駆動ドライバ１１１の外側の領域を通って接続端子１１７に接続されるように引き回されている。配線１１５ａと配線１１５ｂとは一部重なるように配置されており（斜線部）、両者は例えば図示しない基板間導通材を介して電気的に接続されている。
【００３１】
このように、本実施形態によれば、駆動ドライバ１１１とＬＥＤ１１２、１１３及び１１４とをそれぞれ液晶パネル１０２の対向する辺に配置することによって、駆動ドライバ１１１がＬＥＤ１１２、１１３及び１１４の発光時に生じる熱の影響を受けにくくなる。これにより、ＬＥＤ１１２、１１３及び１１４の熱によって駆動ドライバ１１１が動作不良を起こすのを回避することができる。
【００３２】
また、駆動ドライバ１１１とＬＥＤ１１２、１１３及び１１４とを別々の基板に設けることで、駆動素子が導光板側の基板に配置される構造の場合においても、他方の基板に発光素子を設けることができ、発光素子の発光面を導光板側に配置することができる。このため、外付けのＦＰＣ等に発光素子を実装することなく、発光素子を配置できるため、液晶装置１０１を小型化することが可能となる。液晶装置１０１を小型化することにより、例えば後述する携帯電話のような小型の電子機器にも搭載することができる。
【００３３】
さらに、配線１１５が、液晶パネルの表示領域９を囲うように設けられているので、表示領域９においては静電気によって悪影響を受けるのを防ぐことができる。また、ＴＦＤアレイ基板側配線１１５ｂが駆動ドライバ１１１の外側の領域を通るように設けられているので、駆動ドライバ１１１が配線１１５によって囲われることになる。これにより、静電気による悪影響、例えば駆動ドライバ１１１の破損などを防ぐことができる。
【００３４】
［電子機器］
次に、本発明に係る電子機器について、携帯電話を例に挙げて説明する。  
図６は、携帯電話３００の全体構成を示す斜視図である。  
携帯電話３００は、筺体３０１、複数の操作ボタンが設けられた操作部３０２、画像や動画、文字等を表示する表示部３０３を有する。表示部３０３には、本実施形態に係る液晶装置１、１０１が搭載されている。  
このように、均一な明るさで表示可能な液晶装置１、１０１を搭載したので、快適な表示を実現可能な携帯電話３００を得ることができる。
【００３５】
本発明の技術範囲は上記実施形態に限定されるものではなく、本発明の趣旨を逸脱しない範囲で適宜変更を加えることができる。  
例えば、第１実施形態においては、ＬＥＤ１２、１３、１４を液晶パネル２の張出領域の両端部と中央部とに１つずつ計３つ配置する構成としたが（第２実施形態においても同様）、これに限られることは無く、導光板３から液晶パネル２に照射される光が均一になるような配置した構成、例えば張出領域に４つ以上のＬＥＤを配置した構成や、２つのＬＥＤを配置した構成であっても構わない。
【００３６】
また、上記各実施形態では、液晶装置１、１０１を例に挙げて説明したが、これに限られることは無く、例えば電気泳動表示装置等の他の電気光学装置に本発明を適用することも、勿論可能である。
【図面の簡単な説明】
【００３７】
【図１】本発明の第１実施形態に係る液晶装置の構成を示す分解斜視図である。
【図２】本実施形態に係る液晶装置の構成を示す断面図である。
【図３】導光板による導光の様子を示す図である。
【図４】本発明の第２実施形態に係る液晶装置の構成を示す斜視図である。
【図５】本実施形態に係る液晶装置の構成を示す平面図である。
【図６】本発明に係る電子機器の構成を示す斜視図である。
【符号の説明】
【００３８】
１、１０１…液晶装置  ２、１０２…液晶パネル  ３…導光板  ３ａ、３ｂ、３ｃ、１０３ａ、１０３ｂ、１０３ｃ…収容部  ３ｄ、１０３ｄ…導光体  ４、１０４…ＴＦＤアレイ基板  ４ａ．５ａ…張出領域  ５、１０５…カラーフィルタ基板  １２、１３、１４、１１２、１１３、１１４…ＬＥＤ  １１５…配線  ３００…携帯電話
【図１】
2007095422.tif 000003
【図２】
2007095422.tif 000004
【図３】
2007095422.tif 000005
【図４】
2007095422.tif 000006
【図５】
2007095422.tif 000007
【図６】
2007095422.tif 000008